(57)【要約】【課題】スプリングバックに起因した正極タブ及び負極タブの湾曲部の疲労亀裂を抑制しつつ、負極用活物質層の負極用金属箔からの剥離を抑制できる。【解決手段】正極タブ２０ｃにおいて、湾曲部２９ａの厚さ方向における少なくとも一方の面は、正極タブ２０ｃ及び負極タブ２１ｃよりもヤング率の高いセラミックで構成される被覆層３０により被覆され、湾曲部２９ａが形成されている負極タブ２１ｃを有する負極２１は、塗工延出部４０のうち負極タブ２１ｃの突出した一辺に沿う塗工延出部４０としてタブ側延出部４１を備え、タブ側延出部４１のなかには、セパレータ２３と接触しない非接延出部４２となるタブ側延出部４１が含まれており、負極タブ２１ｃにおいて、湾曲部２９ａ及び非接延出部４２は被覆層３０により被覆されている。【選択図】図５
2020123549.tif 000002
【特許請求の範囲】
【請求項１】
シート状をなす複数の正極とシート状をなす複数の負極とがセパレータにより絶縁された状態で積層された電極組立体と、
前記電極組立体を収容するケースと、
前記ケースに固定されるとともに前記電極組立体と電気を授受する正極端子及び負極端子とを備え、
前記正極は、シート状の正極用金属箔と、前記正極用金属箔の両面の少なくとも一方に設けられている正極用活物質層と、前記正極用金属箔の一辺の一部から突出する正極タブと、を有し、
前記負極は、シート状の負極用金属箔と、前記負極用金属箔の両面の少なくとも一方に設けられ、前記正極用活物質層の外縁よりも外側にはみ出した塗工延出部を有する負極用活物質層と、前記負極用金属箔の一辺の一部から突出する負極タブと、を有し、
前記電極組立体は、複数の前記正極タブが寄せ集められた正極タブ群と、複数の前記負極タブが寄せ集められた負極タブ群と、を有し、
前記正極タブ群は、前記電極組立体の積層方向一端に向けて複数の前記正極タブが寄せ集められた正極基端部と、前記正極基端部から前記電極組立体の積層方向他端に向けて折れ曲がる正極曲部と、前記電極組立体の前記正極タブ群及び前記負極タブ群が存在するタブ側端面に沿って前記正極曲部における前記正極基端部と反対側から前記電極組立体の積層方向他端に向けて延出するとともに前記正極端子に固定される正極延出部と、を有し、
前記負極タブ群は、前記電極組立体の積層方向一端に向けて複数の前記負極タブが寄せ集められた負極基端部と、前記負極基端部から前記電極組立体の積層方向他端に向けて折れ曲がる負極曲部と、前記電極組立体の前記タブ側端面に沿って前記負極曲部における前記負極基端部と反対側から前記電極組立体の積層方向他端に向けて延出するとともに前記負極端子に固定される負極延出部と、を有し、
複数の前記正極タブ及び複数の前記負極タブにおいて、前記正極基端部及び前記負極基端部よりも前記タブ側端面寄りに設けられる根本部のなかには、複数の前記正極タブ及び複数の前記負極タブが前記電極組立体の積層方向一端に寄せ集められた状態で折れ曲がっている湾曲部を有する前記根本部が含まれ、
前記正極タブにおいて、前記湾曲部の厚さ方向における少なくとも一方の面は、前記正極タブ及び前記負極タブよりもヤング率の高いセラミックで構成される被覆層により被覆され、
前記湾曲部が形成されている前記負極タブを有する前記負極は、前記塗工延出部のうち前記負極タブの突出した一辺に沿う前記塗工延出部としてタブ側延出部を備え、前記タブ側延出部のなかには、前記セパレータと接触しない非接延出部となる前記タブ側延出部が含まれており、
前記負極タブにおいて、前記湾曲部及び前記非接延出部は前記被覆層により被覆されていることを特徴とする蓄電装置。
【請求項２】
前記被覆層は、前記湾曲部が山折りとなるように折れ曲がる山折り部を被覆していることを特徴とする請求項１に記載の蓄電装置。
【請求項３】
前記被覆層は、前記湾曲部の厚さ方向における両面に設けられていることを特徴とする請求項１又は請求項２に記載の蓄電装置。
【請求項４】
前記被覆層は、前記正極タブ群における前記正極曲部及び前記負極タブ群における前記負極曲部に至るまで設けられていることを特徴とする請求項１〜請求項３のいずれか一項に記載の蓄電装置。
【発明の詳細な説明】
【技術分野】
【０００１】
本発明は、蓄電装置に関する。
【背景技術】
【０００２】
従来、特許文献１に記載されるような蓄電装置が知られている。
上記の蓄電装置は、シート状をなす複数の正極及びシート状をなす複数の負極が複数のセパレータにより絶縁された状態で積層された電極組立体と、電極組立体を収容するケースと、ケースに固定されるとともに電極組立体と電気を授受する正極端子及び負極端子とを備えている。
【０００３】
上記の電極組立体の正極は、シート状の正極用金属箔（例えばアルミニウム箔）と、正極用金属箔の両面に設けられている正極用活物質層とを有している。上記の電極組立体の負極は、シート状の負極用金属箔（例えば銅箔）と、負極用金属箔の両面に設けられている負極用活物質層とを有している。
【０００４】
また、電極組立体は、正極を構成する正極用金属箔の一辺の一部から突出した正極タブが寄せ集められた正極タブ群と、負極を構成する負極用金属箔の一辺の一部から突出した負極タブが寄せ集められた負極タブ群とを有している。正極タブ群は、電極組立体の積層方向一端に向けて複数の正極タブが寄せ集められた正極基端部と、正極基端部から電極組立体の積層方向他端に向けて折れ曲がる正極曲部とを有している。また、正極タブ群は、電極組立体の正極タブ群及び負極タブ群が存在するタブ側端面に沿って正極曲部における正極基端部と反対側から電極組立体の積層方向他端に向けて延出するとともに正極端子に固定される正極延出部と、を有している。負極タブ群は、電極組立体の積層方向一端に向けて複数の負極タブが寄せ集められた負極基端部と、負極基端部から電極組立体の積層方向他端に向けて折れ曲がる負極曲部とを有している。また、負極タブ群は、電極組立体のタブ側端面に沿って負極曲部における負極基端部と反対側から電極組立体の積層方向他端に向けて延出するとともに負極端子に固定される負極延出部と、を有している。
【０００５】
複数の正極タブ及び複数の負極タブにおいて、正極基端部及び負極基端部よりもタブ側端面寄りに設けられる根本部のなかには、複数の正極タブ及び複数の負極タブが電極組立体の積層方向一端に向けて寄せ集められた状態で折れ曲がっている湾曲部を有する根本部が含まれている。
【０００６】
上記の構成を備えた蓄電装置において、電極組立体がケースに収容され、且つ正極端子及び負極端子がケースと、各タブ群の正極延出部及び負極延出部とに固定された状態となるため、複数の正極タブ及び複数の負極タブの湾曲部には、残留応力が作用する。よって、根本部に湾曲部を有する複数の正極タブ及び複数の負極タブは、折れ曲がった状態からまっすぐ延びる状態に戻ろうとする。すなわち、複数の正極タブ及び複数の負極タブの湾曲部にスプリングバックが発生する。そのため、電極組立体をケースに収容した状態で、且つ複数の正極タブ及び複数の負極タブの湾曲部に残留応力が作用している状態で蓄電装置が振動することで正極タブ及び負極タブの湾曲部に繰り返し荷重が作用してしまうと、複数の正極タブ及び複数の負極タブの湾曲部に疲労亀裂が発生する虞がある。ひいては、疲労亀裂が発生した正極タブ及び負極タブの電気抵抗が増加してしまい、蓄電装置の蓄電性能が低下してしまう。
【０００７】
複数の正極タブ及び複数の負極タブの湾曲部の疲労亀裂を抑制するための具体案として特許文献２に記載される蓄電装置のように、正極の正極用金属箔及び負極の負極用金属箔のうち活物質層が形成されていない非形成部（正極タブ及び負極タブを含む）に対してセラミックからなる絶縁層を設ける。このように構成することで、複数の正極タブ及び複数の負極タブが高ヤング率の材料であるセラミックで被覆されるとともに複数の正極タブ及び複数の負極タブの見かけ上の厚さも増大する。そのため、複数の正極タブ及び複数の負極タブの根本部でのスプリングバックを抑制し、正極タブ及び負極タブの湾曲部の疲労亀裂を抑制できる。
【先行技術文献】
【特許文献】
【０００８】
【特許文献１】特開２０１５−３２５４９号公報
【特許文献２】特開２０１４−５６６７３号公報
【発明の概要】
【発明が解決しようとする課題】
【０００９】
ここで、一般的に、負極及び負極を構成する負極用活物質層の大きさは、正極及び正極を構成する正極用活物質層の大きさよりも大きく形成される。すなわち、正極と負極とが積層されることで電極組立体を構成したとき、負極を構成する負極用活物質層は正極を構成する正極用活物質層の外縁よりも外側にはみ出した状態で配置される。
【００１０】
ところで、上記した特許文献２のように正極用金属箔及び負極用金属箔の非形成部にセラミック製の絶縁層を設け、複数の正極タブ及び複数の負極タブの湾曲部の疲労亀裂を抑制する構成が知られている。この構成では、複数の負極タブを電極組立体の積層方向一端に寄せ集めることで負極タブ群を形成したとき、負極用活物質層における正極用活物質層の外縁よりも外側にはみ出した部分が曲がることがある。負極用活物質層の当該はみ出した部分が曲がると、当該はみ出した部分が負極用金属箔から剥離する。負極用活物質層の当該はみ出した部分が負極用金属箔から剥離すると、負極用活物質層の剥離が負極用金属箔の全体に伝搬し、電気容量が低下する虞がある。
【００１１】
本発明は、このような従来の技術に存在する問題点に着目してなされたものであり、その目的は、スプリングバックに起因した正極タブ及び負極タブの湾曲部の疲労亀裂を抑制しつつ、負極用活物質層の負極用金属箔からの剥離を抑制できる蓄電装置を提供することにある。
【課題を解決するための手段】
【００１２】
上記課題を解決する蓄電装置は、シート状をなす複数の正極とシート状をなす複数の負極とがセパレータにより絶縁された状態で積層された電極組立体と、前記電極組立体を収容するケースと、前記ケースに固定されるとともに前記電極組立体と電気を授受する正極端子及び負極端子とを備え、
前記正極は、シート状の正極用金属箔と、前記正極用金属箔の両面の少なくとも一方に設けられている正極用活物質層と、前記正極用金属箔の一辺の一部から突出する正極タブと、を有し、
前記負極は、シート状の負極用金属箔と、前記負極用金属箔の両面の少なくとも一方に設けられ、前記正極用活物質層の外縁よりも外側にはみ出した塗工延出部を有する負極用活物質層と、前記負極用金属箔の一辺の一部から突出する負極タブと、を有し、前記電極組立体は、複数の前記正極タブが寄せ集められた正極タブ群と、複数の前記負極タブが寄せ集められた負極タブ群と、を有し、
前記正極タブ群は、前記電極組立体の積層方向一端に向けて複数の前記正極タブが寄せ集められた正極基端部と、前記正極基端部から前記電極組立体の積層方向他端に向けて折れ曲がる正極曲部と、前記電極組立体の前記正極タブ群及び前記負極タブ群が存在するタブ側端面に沿って前記正極曲部における前記正極基端部と反対側から前記電極組立体の積層方向他端に向けて延出するとともに前記正極端子に固定される正極延出部と、を有し、
前記負極タブ群は、前記電極組立体の積層方向一端に向けて複数の前記負極タブが寄せ集められた負極基端部と、前記負極基端部から前記電極組立体の積層方向他端に向けて折れ曲がる負極曲部と、前記電極組立体の前記タブ側端面に沿って前記負極曲部における前記負極基端部と反対側から前記電極組立体の積層方向他端に向けて延出するとともに前記負極端子に固定される負極延出部と、を有し、
複数の前記正極タブ及び複数の前記負極タブにおいて、前記正極基端部及び前記負極基端部よりも前記タブ側端面寄りに設けられる根本部のなかには、複数の前記正極タブ及び複数の前記負極タブが前記電極組立体の積層方向一端に寄せ集められた状態で折れ曲がっている湾曲部を有する前記根本部が含まれ、
前記正極タブにおいて、前記湾曲部の厚さ方向における少なくとも一方の面は、前記正極タブ及び前記負極タブよりもヤング率の高いセラミックで構成される被覆層により被覆され、
前記湾曲部が形成されている前記負極タブを有する前記負極は、前記塗工延出部のうち前記負極タブの突出した一辺に沿う前記塗工延出部としてタブ側延出部を備え、前記タブ側延出部のなかには、前記セパレータと接触しない非接延出部となる前記タブ側延出部が含まれており、
前記負極タブにおいて、前記湾曲部及び前記非接延出部は前記被覆層により被覆されている。
【００１３】
これによれば、正極タブの湾曲部が被覆層により被覆され、負極タブの湾曲部及び負極の塗工延出部における非接延出部が被覆層により被覆されている。被覆層は、正極タブ及び負極タブよりも高いヤング率を有するセラミックで構成されるため、正極タブ及び負極タブの湾曲部の見かけ上のヤング率を向上させることができる。そのため、正極タブ及び負極タブの湾曲部のスプリングバック量は小さくなる。また、正極タブ及び負極タブの湾曲部は、被覆層により見かけ上の厚さが増大する。そのため、正極タブ及び負極タブの湾曲部の見かけ上の断面二次モーメントが増大する。断面二次モーメントは、曲がり難さを示す指標である。そのため、正極タブ及び負極タブの湾曲部は、曲がり難くなり、ひいては正極タブ及び負極タブの湾曲部が折れ曲がった状態から変形し難くなる。よって、正極タブ及び負極タブの湾曲部のスプリングバック量は小さくなる。したがって、スプリングバックに起因した正極タブ及び負極タブの湾曲部の疲労亀裂を抑制できる。
【００１４】
また、負極用活物質層の非接延出部にも被覆層が設けられている。そのため、負極用活物質層における正極用活物質層の外縁よりも外側にはみ出している部分の強度を向上させることができる。よって、従来の負極の非形成部のみをセラミックで被覆する場合と比較して、負極用活物質層が曲がり難くなっており、負極用活物質層の負極用金属箔からの剥離を抑制することができる。したがって、スプリングバックに起因した正極タブ及び負極タブの湾曲部の疲労亀裂を抑制しつつ、負極用活物質層の負極用金属箔からの剥離を抑制できる。
【００１５】
上記の蓄電装置において、前記被覆層は、前記湾曲部が山折りとなるように折れ曲がる山折り部を被覆しているとよい。
正極タブ及び負極タブの湾曲部には、山折りとなるように折れ曲がる山折り部と谷折りとなるように折れ曲がる谷折り部とが存在する。山折り部には、引張残留応力が発生しており、谷折り部には、圧縮残留応力が発生している。正極タブ及び負極タブの湾曲部のスプリングバックは、山折り部に発生する引張残留応力が主な要因であると考えられる。
【００１６】
その点、これによれば、被覆層が正極タブ及び負極タブの湾曲部の山折り部を被覆している。そのため、山折り部には、被覆層により圧縮応力が付与される。よって、湾曲部に発生している引張残留応力が被覆層による圧縮応力により低減される。したがって、スプリングバックに起因した正極タブ及び負極タブの湾曲部の疲労亀裂を抑制できる。
【００１７】
上記の蓄電装置において、前記被覆層は、前記湾曲部の厚さ方向における両面に設けられているとよい。
これによれば、正極タブ及び負極タブの両面を被覆層で覆うため、スプリングバックに起因した正極タブ及び負極タブの湾曲部の疲労亀裂を好適に抑制できる。
【００１８】
上記の蓄電装置において、前記被覆層は、前記正極タブ群における前記正極曲部及び前記負極タブ群における前記負極曲部に至るまで設けられているとよい。
正極タブ群における正極曲部及び負極タブ群における負極曲部でもスプリングバックが発生することが考えられる。
【００１９】
これによれば、正極タブ群における正極曲部及び負極タブ群における負極曲部まで被覆層で被覆している。そのため、被覆層により正極タブ群における正極曲部及び負極タブ群における負極曲部の見かけ上のヤング率を向上させつつ、見かけ上の厚さも増大する。したがって、正極タブ群における正極曲部及び負極タブ群における負極曲部のスプリングバック量を小さくすることができ、ひいては正極タブ群及び負極タブ群の疲労亀裂を抑制できる。
【発明の効果】
【００２０】
この発明によれば、スプリングバックに起因した正極タブ及び負極タブの湾曲部の疲労亀裂を抑制しつつ、負極用活物質層の負極用金属箔からの剥離を抑制できる。
【図面の簡単な説明】
【００２１】
【図１】蓄電装置の第１の実施形態の分解斜視図。
【図２】電極組立体の分解斜視図。
【図３】蓄電装置の断面図。
【図４】蓄電装置の断面図。
【図５】（ａ）は正極タブの湾曲部を被覆する被覆層を示した拡大断面図、（ｂ）は、負極タブの湾曲部を被覆する被覆層を示した拡大断面図。
【図６】湾曲部を被覆層で被覆するときの被覆方法を示した概略図。
【図７】（ａ）は、蓄電装置の第２の実施形態における正極タブの湾曲部を被覆する被覆層を示した拡大断面図、（ｂ）は、第２の実施形態における負極タブの湾曲部を被覆する被覆層を示した拡大断面図。
【図８】（ａ），（ｂ）は、蓄電装置の第３の実施形態における被覆層が設けられている位置を示す拡大断面図。
【発明を実施するための形態】
【００２２】
＜第１の実施形態＞
以下、蓄電装置を二次電池に具体化した第１の実施形態を図１〜図６にしたがって説明する。
【００２３】
図１に示すように、蓄電装置としての二次電池１０は、ケース１１を備えている。二次電池１０は、ケース１１に収容された電極組立体１２及び電解液（図示略）を備えている。ケース１１は、有底四角筒状のケース本体１３と、ケース本体１３の開口部１３ａを閉塞する板状の蓋１４とを有している。ケース１１を構成するケース本体１３及び蓋１４は、何れも金属製（例えば、ステンレスやアルミニウム）である。また、本実施形態の二次電池１０は、外観が角型をなす角型電池である。また、本実施形態の二次電池１０は、リチウムイオン二次電池である。
【００２４】
二次電池１０は、電極組立体１２と電気を授受する正極端子１５及び負極端子１６を備えている。正極端子１５及び負極端子１６は、蓋１４に所定間隔を空けて並設された一対の孔１４ａからケース１１の外部に露出される。また、正極端子１５及び負極端子１６には、ケース１１との間を絶縁するためのリング状の絶縁リング１７ａがそれぞれ取り付けられている。これにより、正極端子１５及び負極端子１６は、ケース１１に固定されている。なお、正極端子１５及び負極端子１６は、それぞれ同じ極性を有する正極導電部材及び負極導電部材を有している。
【００２５】
蓋１４は、厚さ方向に貫通する丸孔状の注液口１４ｃを備えている。注液口１４ｃは、ケース１１に電解液を注入するために用いられる。注液口１４ｃは、封止部材１９によって封止され、注液口１４ｃのシール性が維持されている。
【００２６】
図２、図３、及び図４に示すように、電極組立体１２は、シート状をなす複数の正極２０と、シート状をなす複数の負極２１と、シート状をなす複数のセパレータ２３とを有している。電極組立体１２は、複数の正極２０と複数の負極２１とをセパレータ２３により絶縁された状態で積層されることで構成されている。なお、正極２０、負極２１、及びセパレータ２３の積層される方向を電極組立体１２の積層方向とする。
【００２７】
図２に示すように、正極２０は、シート状の正極用金属箔（例えばアルミニウム箔）２０ａと、正極用金属箔２０ａの両面に設けられている正極用活物質層２０ｂと、正極用金属箔２０ａの一辺の一部から突出する帯状の正極タブ２０ｃとを有している。正極タブ２０ｃは、正極用金属箔２０ａそのもので構成されている。
【００２８】
負極２１は、シート状の負極用金属箔（例えば銅箔）２１ａと、負極用金属箔２１ａの両面に設けられている負極用活物質層２１ｂと、負極用金属箔２１ａの一辺の一部から突出する帯状の負極タブ２１ｃとを有している。負極タブ２１ｃは、負極用金属箔２１ａそのもので構成されている。複数の正極タブ２０ｃ及び複数の負極タブ２１ｃは、正極２０と負極２１とが積層された状態で、正極タブ２０ｃと負極タブ２１ｃとが重ならない位置に存在する。
【００２９】
図３及び図４に示すように、二次電池１０としては、正極２０の正極用活物質層２０ｂに対して負極２１の負極用活物質層２１ｂが電極組立体１２の積層方向に対向しなければならない。そのため、負極用活物質層２１ｂは、正極用活物質層２０ｂよりも大きく形成される。具体的には、電極組立体１２の積層方向において、正極用金属箔２０ａに設けられた正極用活物質層２０ｂを負極用金属箔２１ａに設けられた負極用活物質層２１ｂが覆うことができるように負極用活物質層２１ｂが正極用活物質層２０ｂよりも大きく設定されている。このため、電極組立体１２において、負極２１の負極用活物質層２１ｂの外縁部は、正極用活物質層２０ｂの外縁よりも外側にはみ出した塗工延出部４０を構成する。
【００３０】
図３に示すように、電極組立体１２は、正極タブ群２５を備えている。正極タブ群２５は、複数の正極タブ２０ｃを電極組立体１２の積層方向に寄せ集められることで構成されている。
【００３１】
正極タブ群２５は、電極組立体１２の積層方向一端に向けて複数の正極タブ２０ｃが寄せ集められた正極基端部２７ａと、正極基端部２７ａから電極組立体１２の積層方向他端に向けて折れ曲がる正極曲部２４ａとを有している。また、正極タブ群２５は、電極組立体１２の正極タブ群２５及び負極タブ群２６が存在するタブ側端面１２ａに沿って正極曲部２４ａの正極基端部２７ａと反対側から電極組立体１２の積層方向他端に向けて延出する正極延出部２８ａを有している。電極組立体１２のタブ側端面１２ａは、負極用金属箔２１ａの負極タブ２１ｃが設けられている一辺と、セパレータ２３の一辺とが電極組立体１２の積層方向に沿って寄せ集められることで構成されている。また、正極タブ群２５の正極延出部２８ａには、正極端子１５の正極導電部材が固定されている。
【００３２】
図４に示すように、電極組立体１２は、負極タブ群２６を備えている。負極タブ群２６は、複数の負極タブ２１ｃを電極組立体１２の積層方向に寄せ集められることで構成されている。
【００３３】
負極タブ群２６は、電極組立体１２の積層方向一端に向けて複数の負極タブ２１ｃが寄せ集められた負極基端部２７ｂと、負極基端部２７ｂから電極組立体１２の積層方向他端に向けて折れ曲がる負極曲部２４ｂとを有している。また、負極タブ群２６は、電極組立体１２のタブ側端面１２ａに沿って負極曲部２４ｂの負極基端部２７ｂと反対側から電極組立体１２の積層方向に向けて延出する負極延出部２８ｂを有している。また、負極タブ群２６の負極延出部２８ｂには、負極端子１６の負極導電部材が固定されている。
【００３４】
図３及び図４に示すように、複数の正極タブ２０ｃ及び複数の負極タブ２１ｃは、正極基端部２７ａ及び負極基端部２７ｂよりもタブ側端面１２ａ寄りに複数の根本部２９を有している。複数の根本部２９のなかには、複数の正極タブ２０ｃ及び複数の負極タブ２１ｃが電極組立体１２の積層方向一端に寄せ集められた状態で折れ曲がっている湾曲部２９ａを有する根本部２９が含まれている。本実施形態では、全ての正極タブ２０ｃの根本部２９（図３参照）は湾曲部２９ａを有している。負極タブ２１ｃの根本部２９のうち、電極組立体１２の積層方向一端に位置するもの（図４参照）を除いて複数の負極タブ２１ｃの根本部２９は湾曲部２９ａを有している。なお、電極組立体１２の積層方向一端に位置する負極タブ２１ｃは、ケース本体１３の側壁に沿って蓋１４に向けてまっすぐ延びている（図４参照）。
【００３５】
図５（ａ）及び図５（ｂ）に示すように、正極タブ２０ｃにおける根本部２９の湾曲部２９ａは、正極タブ２０ｃが山折りとなるように折れ曲がる山折り部２０ｄと、谷折りとなるように折れ曲がる谷折り部２０ｅとを有している。負極タブ２１ｃにおける根本部２９の湾曲部２９ａは、負極タブ２１ｃが山折りとなるように折れ曲がる山折り部２１ｄと、谷折りとなるように折れ曲がる谷折り部２１ｅとを有している。ここで、山折り部２０ｄ，２１ｄは、電極組立体１２の積層方向他端から電極組立体１２の積層方向に沿って見て山折りとなるように折れ曲がっている。谷折り部２０ｅ，２１ｅは、電極組立体１２の積層方向一端から電極組立体１２の積層方向に沿って見て谷折りとなるように折れ曲がっている。
【００３６】
図５（ａ）に示すように、正極タブ２０ｃにおいて、湾曲部２９ａの厚さ方向における一方の面は、正極タブ２０ｃよりもヤング率の高いセラミックで構成される被覆層３０で被覆されている。被覆層３０は、正極タブ２０ｃの湾曲部２９ａの山折り部２０ｄ側の面に設けられている。被覆層３０は、正極タブ２０ｃの湾曲部２９ａにおける山折り部２０ｄが設けられる面のうち正極用活物質層２０ｂとの境界部分から湾曲部２９ａの山折り部２０ｄを覆う位置まで設けられている。被覆層３０は、正極タブ群２５の正極基端部２７ａに至っていない。なお、セラミックとしては、酸化アルミニウム、窒化ケイ素、酸化ジルコニウム、及び窒化アルミニウム等が用いられる。
【００３７】
図５（ｂ）に示すように、負極用活物質層２１ｂの塗工延出部４０のうち、負極タブ２１ｃが突出した一辺に沿う塗工延出部４０をタブ側延出部４１とする。複数のタブ側延出部４１のなかには、電極組立体１２の積層方向においてセパレータ２３に接触していない非接延出部４２となるタブ側延出部４１が含まれている。非接延出部４２が塗工された負極用金属箔２１ａに連続する負極タブ２１ｃは、湾曲部２９ａを有している。非接延出部４２は、負極用金属箔２１ａを挟みこむタブ側延出部４１の一方である。非接延出部４２は、負極用金属箔２１ａを挟み込むタブ側延出部４１のうち負極タブ２１ｃの山折り部２１ｄ側のタブ側延出部４１である。すなわち、タブ側延出部４１の一方とセパレータ２３との間には隙間が設けられている。
【００３８】
負極タブ２１ｃの湾曲部２９ａ及び非接延出部４２は、被覆層３０により被覆されている。被覆層３０は、負極タブ２１ｃの湾曲部２９ａの山折り部２１ｄ側の面に設けられている。被覆層３０は、非接延出部４２とセパレータ２３との間から負極タブ２１ｃの湾曲部２９ａの山折り部２１ｄを覆う位置まで設けられている。被覆層３０は、負極タブ群２６の負極基端部２７ｂに至っていない。
【００３９】
ここで、被覆層３０の製造について説明する。
被覆層３０は、低温溶射法の１つであるパウダージェットデポジション法により形成される。
図２に示すように、被覆層３０は、正極２０と負極２１とが積層される前段階において、正極タブ２０ｃの正極用活物質層２０ｂとの境界部分から湾曲部２９ａにおける山折り部２０ｄを覆う位置までに対応する被覆領域Ｒ１に対してセラミック粒子を吹き付けることで形成される。また、被覆層３０は、正極２０と負極２１とが積層される前段階において、負極用活物質層２１ｂの非接延出部４２の全域及び非接延出部４２から負極タブ２１ｃの湾曲部２９ａにおける山折り部２１ｄを覆う位置までに対応する被覆領域Ｒ２に対してセラミック粒子を吹き付けることにより形成される。
【００４０】
図６に示すように、被覆層３０は、セラミック粒子３１を正極タブ２０ｃ、負極タブ２１ｃ、及び塗工延出部４０の非接延出部４２の表面に食い込ませることで形成される。各セラミック粒子３１は、それぞれ微細化（粉砕）されているとともに、他のセラミック粒子３１との間に酸化物を介在させてないように密着して堆積している。なお、セラミック粒子３１の平均粒子径は、例えば５０ｎｍ〜１０μｍである。
【００４１】
本実施形態では以下の作用及び効果を得ることができる。
（１−１）本実施形態では、正極タブ２０ｃの湾曲部２９ａが被覆層３０により被覆され、負極タブ２１ｃの湾曲部２９ａ及び負極２１の塗工延出部４０における非接延出部４２が被覆層３０により被覆されている。被覆層３０は、正極タブ２０ｃ及び負極タブ２１ｃよりも高いヤング率を有するセラミックで構成されるため、正極タブ２０ｃ及び負極タブ２１ｃの湾曲部２９ａの見かけ上のヤング率を向上させることができる。そのため、正極タブ２０ｃ及び負極タブ２１ｃの湾曲部２９ａのスプリングバック量は小さくなる。また、正極タブ２０ｃ及び負極タブ２１ｃの湾曲部２９ａは、被覆層３０により見かけ上の厚さが増大する。そのため、正極タブ２０ｃ及び負極タブ２１ｃの湾曲部２９ａの見かけ上の断面二次モーメントが増大する。断面二次モーメントは、曲がり難さを示す指標である。そのため、正極タブ２０ｃ及び負極タブ２１ｃの湾曲部２９ａは、曲がり難くなり、ひいては正極タブ２０ｃ及び負極タブ２１ｃの湾曲部２９ａが折れ曲がった状態から変形し難くなる。よって、正極タブ２０ｃ及び負極タブ２１ｃの湾曲部のスプリングバック量は小さくなる。したがって、スプリングバックに起因した正極タブ２０ｃ及び負極タブ２１ｃの湾曲部２９ａの疲労亀裂を抑制できる。
【００４２】
また、負極用活物質層２１ｂの非接延出部４２にも被覆層３０が設けられている。そのため、負極用活物質層２１ｂにおける正極用活物質層２０ｂの外縁よりも外側にはみ出している部分であるタブ側延出部４１の強度を向上させることができる。よって、従来の負極の非形成部のみをセラミックで被覆する場合と比較して、負極用活物質層２１ｂが曲がり難くなっており、負極用活物質層２１ｂの負極用金属箔２１ａからの剥離を抑制することができる。したがって、スプリングバックに起因した正極タブ２０ｃ及び負極タブ２１ｃの湾曲部２９ａの疲労亀裂を抑制しつつ、負極用活物質層２１ｂの負極用金属箔２１ａからの剥離を抑制できる。
【００４３】
（１−２）正極タブ２０ｃ及び負極タブ２１ｃの湾曲部２９ａには、山折り部２０ｄ，２１ｄと谷折り部２０ｅ，２１ｅとが存在する。山折り部２０ｄ，２１ｄには、引張残留応力が発生しており、谷折り部２０ｅ，２１ｅには、圧縮残留応力が発生している。正極タブ２０ｃ及び負極タブ２１ｃの湾曲部２９ａのスプリングバックは、山折り部２０ｄ，２１ｄに発生する引張残留応力が主な要因であると考えられる。
【００４４】
被覆層３０が正極タブ２０ｃ及び負極タブ２１ｃの湾曲部２９ａの山折り部２０ｄ，２１ｄを被覆している。そのため、山折り部２０ｄ，２１ｄには、被覆層３０により圧縮応力が付与される。よって、湾曲部２９ａに発生している引張残留応力が被覆層３０による圧縮応力により低減される。したがって、スプリングバックに起因した正極タブ２０ｃ及び負極タブ２１ｃの湾曲部２９ａの疲労亀裂を抑制できる。特に塗工厚さ方向で塗工境界部形状の切り欠き効果が緩和されるため、疲労亀裂の抑制に有効である。
【００４５】
＜第２の実施形態＞
以下、蓄電装置を二次電池に具体化した第２の実施形態を図７にしたがって説明する。なお、第１の実施形態と同一の構成については同一の符号を付し詳細な説明は割愛する。
【００４６】
図７（ａ）に示すように、複数の正極タブ２０ｃにおいて、湾曲部２９ａの厚さ方向における両面は、被覆層３０で被覆されている。被覆層３０は、正極タブ２０ｃの湾曲部２９ａにおける山折り部２０ｄが設けられる面のうち正極用活物質層２０ｂとの境界部分から湾曲部２９ａの山折り部２０ｄを覆う位置まで設けられている。また、被覆層３０は、正極タブ２０ｃの湾曲部２９ａにおける谷折り部２０ｅが設けられている面のうち正極用活物質層２０ｂとの境界部分から湾曲部２９ａの谷折り部２０ｅを覆う位置まで設けられている。
【００４７】
図７（ｂ）に示すように、非接延出部４２は、負極用金属箔２１ａを挟みこむタブ側延出部４１の両方である。非接延出部４２は、負極用金属箔２１ａを挟み込むタブ側延出部４１である。
【００４８】
負極タブ２１ｃの湾曲部２９ａ及び負極用金属箔２１ａを挟み込む２つの非接延出部４２は、被覆層３０により被覆されている。被覆層３０は、２つの非接延出部４２とセパレータ２３との間から負極タブ２１ｃの湾曲部２９ａの山折り部２１ｄ及び谷折り部２１ｅを覆う位置まで設けられている。
【００４９】
本実施形態によれば、第１の実施形態と同様の効果が得られるとともに以下の効果を得ることができる。
（２−１）本実施形態では、正極タブ２０ｃ及び負極タブ２１ｃの湾曲部２９ａの両面を被覆層３０により覆うため、スプリングバックに起因した正極タブ２０ｃ及び負極タブ２１ｃの湾曲部２９ａの疲労亀裂を好適に抑制できる。
【００５０】
＜第３の実施形態＞
以下、蓄電装置を二次電池に具体化した第３の実施形態を図８にしたがって説明する。なお、第１の実施形態と同一の構成については同一の符号を付し詳細な説明は割愛する。
【００５１】
図８（ａ）に示すように、被覆層３０は、正極タブ２０ｃの湾曲部２９ａにおける山折り部２０ｄ側の面のうち正極用活物質層２０ｂとの境界部分から正極タブ群２５における正極曲部２４ａに至るまで設けられている。
【００５２】
図８（ｂ）を示すように、被覆層３０は、非接延出部４２とセパレータ２３との間から負極タブ群２６における負極曲部２４ｂに至るまで設けられている。
本実施形態によれば、第１の実施形態と同様の効果が得らえるとともに以下の効果を得ることができる。
【００５３】
（３−１）正極タブ群２５における正極曲部２４ａ及び負極タブ群２６における負極曲部２４ｂでもスプリングバックが発生することが考えられる。
本実施形態では、正極タブ群２５における正極曲部２４ａ及び負極タブ群２６における負極曲部２４ｂまで被覆層３０で被覆している。そのため、被覆層３０により正極タブ群２５における正極曲部２４ａ及び負極タブ群２６における負極曲部２４ｂの見かけ上のヤング率を向上させつつ、見かけ上の厚さも増大する。したがって、正極タブ群２５における正極曲部２４ａ及び負極タブ群２６における負極曲部２４ｂのスプリングバック量を小さくすることができ、ひいては正極タブ群２５及び負極タブ群２６の疲労亀裂を抑制できる。
【００５４】
なお、上記各実施形態は、以下のように変更して実施することができる。上記各実施形態及び以下の変更例は、技術的に矛盾しない範囲で互いに組み合わせて実施することができる。
【００５５】
〇  第３の実施形態において、被覆層３０は、正極タブ群２５における正極曲部２４ａ及び負極タブ群２６における負極曲部２４ｂに至るまで設けられていたがこれに限らない。例えば、被覆層３０は、湾曲部２９ａの山折り部２０ｄ，２１ｄのみを覆うように設けられるとともに、正極タブ群２５における正極曲部２４ａ及び負極タブ群２６における負極曲部２４ｂのみに設けられるように変更してもよい。
【００５６】
〇  上記各実施形態において、湾曲部２９ａの山折り部２０ｄ，２１ｄが設けられている面を被覆層３０で被覆していたが、例えば湾曲部２９ａの谷折り部２０ｅ，２１ｅが設けられている面のみを被覆層３０で被覆してもよい。
【００５７】
〇  上記各実施形態において、被覆層３０は、湾曲部２９ａの谷折り部２０ｅ，２１ｅのみを覆うように変更してもよい。
〇  正極２０において、正極用活物質層２０ｂは正極用金属箔２０ａの片面にのみ存在してもよい。負極２１において、負極用活物質層２１ｂは負極用金属箔２１ａの片面にのみ存在してもよい。すなわち、正極用活物質層２０ｂ及び負極用活物質層２１ｂは、正極用金属箔２０ａ及び負極用金属箔２１ａの少なくとも一方に設けられていればよい。
【００５８】
〇  負極タブ群２６を構成する複数の負極タブ２１ｃのうち電極組立体１２の積層方向一端に位置する負極タブ２１ｃの根本部２９には、湾曲部２９ａが設けられていなかったが、これに限らない。例えば、負極タブ群２６の負極基端部２７ｂを形成する位置を、本実施形態から電極組立体１２の中央部に向けて若干移動させることで電極組立体１２の積層方向一端に位置する負極タブ２１ｃにも湾曲部２９ａが形成される。この場合においても湾曲部２９ａを被覆層３０で被覆することが好ましい。なお、正極タブ群２５と負極タブ群２６との構成を逆にしてもよい。
【００５９】
〇  正極用金属箔２０ａはアルミニウム箔であり、負極用金属箔２１ａは銅箔であったが、これに限らない。高導電性を有し、被覆層３０を構成するセラミックよりもヤング率が低い金属で構成されていればどのような材質で正極用金属箔２０ａ及び負極用金属箔２１ａを構成してもよい。
【００６０】
〇  二次電池１０は、リチウムイオン二次電池以外の他の二次電池であってもよい。要するに正極用活物質層２０ｂと負極用活物質層２１ｂとの間をイオンが移動するとともに電荷の授受を行うものであればよい。
【００６１】
〇  蓄電装置は、二次電池１０でなく、電気二重層キャパシタ等の他の蓄電装置に適用してもよい。
【符号の説明】
【００６２】
１０…蓄電装置としての二次電池、１１…ケース、１２…電極組立体、１２ａ…タブ側端面、１５…正極端子、１６…負極端子、２０…正極、２０ａ…正極用金属箔、２０ｂ…正極用活物質層、２０ｃ…正極タブ、２０ｄ…山折り部、２１…負極、２１ａ…負極用金属箔、２１ｂ…負極用活物質層、２１ｃ…負極タブ、２１ｄ…山折り部、２３…セパレータ、２４ａ…正極曲部、２４ｂ…負極曲部、２５…正極タブ群、２６…負極タブ群、２７ａ…正極基端部、２７ｂ…負極基端部、２８ａ…正極延出部、２８ｂ…負極延出部、２９…根本部、２９ａ…湾曲部、３０…被覆層、４０…塗工延出部、４１…タブ側延出部、４２…非接延出部。
【図１】
2020123549.tif 000003
【図２】
2020123549.tif 000004
【図３】
2020123549.tif 000005
【図４】
2020123549.tif 000006
【図５】
2020123549.tif 000007
【図６】
2020123549.tif 000008
【図７】
2020123549.tif 000009
【図８】
2020123549.tif 000010